(57)【特許請求の範囲】
【請求項１】
複数の通信規格に対応し、全二重通信を行うアンテナ部、及び、半二重通信を行うアンテナ部（１０−１〜１０−Ｎ）を有する端末機器（１０）に対して測定を行う無線端末測定装置であって、
前記複数のアンテナ部を接続可能な複数の端子（１１−１〜１１−Ｍ）を有する接続部（１１）と、
前記複数の通信規格に対応した試験信号を生成し、該試験信号を前記接続部に接続された前記端末機器に出力する信号生成部（１２）と、
前記試験信号が入力された前記端末機器からの応答信号、または、前記端末機器からの送信信号を解析する信号解析部（１３）と、
前記接続部を介して、前記端末機器の前記全二重通信を行うアンテナ部のうちの１つを前記信号生成部及び前記信号解析部に選択的に接続するか、あるいは、前記半二重通信を行うアンテナ部のうちのいずれか１つまたは２つを前記信号生成部及び前記信号解析部の少なくとも一方に選択的に接続する切替部（１４）と、を備えることを特徴とする無線端末測定装置。
【請求項２】
前記接続部の複数の端子は、前記全二重通信を行うアンテナ部と接続可能な少なくとも１つの全二重通信用端子（１１−１、１１−２）と、前記半二重通信を行うアンテナ部と接続可能な少なくとも２つの半二重通信用端子（１１−３、１１−４）と、を含むことを特徴とする請求項１に記載の無線端末測定装置。
【請求項３】
前記切替部は、
前記全二重通信用端子のいずれかを前記信号生成部及び前記信号解析部に接続するための第１のスイッチ群（１４ａ−１、１４ａ−２、１４ｂ−１、１４ｂ−２）と、
前記半二重通信用端子のいずれか１つを前記信号生成部または前記信号解析部に接続するか、あるいは、前記半二重通信用端子のいずれか２つをそれぞれ前記信号生成部及び前記信号解析部に接続するための第２のスイッチ群（１４ａ−１、１４ａ−２、１４ｂ−３〜１４ｂ−６）と、
前記信号生成部からの前記試験信号を前記全二重通信用端子に出力するとともに、前記端末機器から当該全二重通信用端子を介して入力された前記応答信号を前記信号解析部に出力する方向性結合器（１４ｃ−１、１４ｃ−２）と、を有することを特徴とする請求項２に記載の無線端末測定装置。
【請求項４】
複数の通信規格に対応し、全二重通信を行うアンテナ部、及び、半二重通信を行うアンテナ部（１０−１〜１０−Ｎ）を有する端末機器（１０）を接続可能な複数の端子（１１−１〜１１−Ｍ）を有する接続部（１１）と、信号生成部（１２）と、信号解析部（１３）と、切替部（１４）と、を備えた無線端末測定装置（１）を用いる無線端末測定方法であって、
前記複数のアンテナ部を前記接続部の前記各端子に接続する接続段階と、
前記切替部によって、前記接続部を介して、前記端末機器の前記全二重通信を行うアンテナ部のうちの１つを、前記信号生成部及び前記信号解析部に選択的に接続する切替段階と、
前記信号生成部によって、前記複数の通信規格に対応した試験信号を生成し、該試験信号を前記信号生成部及び前記信号解析部に接続された前記アンテナ部に出力する信号生成段階と、
前記信号解析部によって、前記試験信号が入力された前記アンテナ部からの応答信号を解析する信号解析段階と、を含むことを特徴とする無線端末測定方法。
【請求項５】
複数の通信規格に対応し、全二重通信を行うアンテナ部、及び、半二重通信を行うアンテナ部（１０−１〜１０−Ｎ）を有する端末機器（１０）を接続可能な複数の端子（１１−１〜１１−Ｍ）を有する接続部（１１）と、信号生成部（１２）と、信号解析部（１３）と、切替部（１４）と、を備えた無線端末測定装置（１）を用いる無線端末測定方法であって、
前記複数のアンテナ部を前記接続部の前記各端子に接続する接続段階と、
前記切替部によって、前記接続部を介して、前記端末機器の前記半二重通信を行うアンテナ部のうちの１つを、前記信号生成部に選択的に接続する第１の切替段階と、
前記信号生成部によって、前記複数の通信規格に対応した試験信号を生成し、該試験信号を前記信号生成部に接続された前記アンテナ部に出力する信号生成段階と、
前記切替部によって、前記接続部を介して、前記信号生成部に接続されたアンテナ部を、前記信号解析部に選択的に接続する第２の切替段階と、
前記信号解析部によって、前記試験信号が入力された前記アンテナ部からの応答信号を解析する信号解析段階と、を含むことを特徴とする無線端末測定方法。
【請求項６】
複数の通信規格に対応し、全二重通信を行うアンテナ部、及び、半二重通信を行うアンテナ部（１０−１〜１０−Ｎ）を有する端末機器（１０）を接続可能な複数の端子（１１−１〜１１−Ｍ）を有する接続部（１１）と、信号生成部（１２）と、信号解析部（１３）と、切替部（１４）と、を備えた無線端末測定装置（１）を用いる無線端末測定方法であって、
前記複数のアンテナ部を前記接続部の前記各端子に接続する接続段階と、
前記切替部によって、前記接続部を介して、前記端末機器の前記半二重通信を行うアンテナ部のうちの１つを、前記信号生成部に選択的に接続する第３の切替段階と、
前記切替部によって、前記接続部を介して、前記複数のアンテナ部のうち、前記信号生成部に接続されたアンテナ部と異なるアンテナ部を、前記信号解析部に選択的に接続する第４の切替段階と、
前記信号生成部によって、前記複数の通信規格に対応した試験信号を生成し、該試験信号を前記信号生成部に接続された前記アンテナ部に出力する信号生成段階と、
前記信号解析部によって、前記信号解析部に接続された前記アンテナ部からの送信信号を解析する信号解析段階と、を含むことを特徴とする無線端末測定方法。
【発明の詳細な説明】
【技術分野】
【０００１】
本発明は、複数の通信規格に対応した複数の無線通信アンテナを有する端末機器に対して測定を行う無線端末測定装置および無線端末測定方法に関する。
【背景技術】
【０００２】
近年、マルチメディアの進展に伴い、セルラ、無線ＬＡＮ等の複数の無線通信用のアンテナが実装された無線端末機器（携帯電話やパーソナルコンピュータ等）が盛んに生産されるようになっている（例えば、特許文献１参照）。
【０００３】
このような端末機器の製造ラインにおいては、端末機器の各無線通信アンテナに対して、それぞれの通信規格ごとに定められた送信電波の出力や受信感度を測定し、所定の基準を満たすか否かを判定する検査が行われる。
【０００４】
上記の検査を行うための測定系としては、例えば、各通信規格に対応した専用の装置が測定ケーブルやシールドボックスを介して各無線通信アンテナに接続されるものが採用される。
【０００５】
しかしながら、１日に何万台もの端末機器の検査が要求されうる現状においては、１台１台にかけられる検査時間は非常に限られており、短時間での効率的な測定が必要となっている。上記のように通信規格ごとに専用の装置を用いる測定系を採用した場合には、所定の検査台数をクリアすることが困難な場合がある。
【０００６】
そこで、通信規格に依らない汎用的な信号発生装置や信号解析装置を用い、それらの装置の信号入出力コネクタに、測定対象の無線通信アンテナを順次切り替えるための外部スイッチボックスを取り付けた測定系を用いて、検査の効率化を図るようになってきている。
【先行技術文献】
【特許文献】
【０００７】
【特許文献１】特開２００７−３１８６７８号公報
【発明の概要】
【発明が解決しようとする課題】
【０００８】
しかしながら、外部スイッチボックスを用いた上記の測定系では、コネクタ数や測定ケーブル数が多くなるため、外来ノイズの影響を受けやすくなるという問題があった。また、外部スイッチボックスは操作者により作成されるものであるため、外部スイッチボックスの周囲の配線の損失を予め操作者が評価して、その補正値を測定装置に手動で入力する手間がかかるという問題もあった。
【０００９】
本発明は、このような従来の課題を解決するためになされたものであって、複数の通信規格に対応した複数のアンテナ部を有する端末機器に対して、外部スイッチボックスを用いることなく、その全てのアンテナ部を接続可能であるとともに、測定対象のアンテナ部を切り替え可能な無線端末測定装置および無線端末測定方法を提供することを目的とする。
【課題を解決するための手段】
【００１０】
上記課題を解決するために、本発明の請求項１の無線端末測定装置は、複数の通信規格に対応し、全二重通信を行うアンテナ部、及び、半二重通信を行うアンテナ部を有する端末機器に対して測定を行う無線端末測定装置であって、前記複数のアンテナ部を接続可能な複数の端子を有する接続部と、前記複数の通信規格に対応した試験信号を生成し、該試験信号を前記接続部に接続された前記端末機器に出力する信号生成部と、前記試験信号が入力された前記端末機器からの応答信号、または、前記端末機器からの送信信号を解析する信号解析部と、前記接続部を介して、前記端末機器の前記全二重通信を行うアンテナ部のうちの１つを前記信号生成部及び前記信号解析部に選択的に接続するか、あるいは、前記半二重通信を行うアンテナ部のうちのいずれか１つまたは２つを前記信号生成部及び前記信号解析部の少なくとも一方に選択的に接続する切替部と、を備えることを特徴とする構成を有している。
【００１１】
この構成により、端末機器の複数のアンテナ部を信号生成部及び信号解析部に選択的に接続する切替部を有するため、複数の通信規格に対応した複数のアンテナ部を有する端末機器に対して、外部スイッチボックスを用いることなく、その全てのアンテナ部を接続可能であるとともに、測定対象のアンテナ部を切り替えることができる。
【００１２】
また、本発明の請求項２の無線端末測定装置は、前記接続部の複数の端子が、前記全二重通信を行うアンテナ部と接続可能な少なくとも１つの全二重通信用端子と、前記半二重通信を行うアンテナ部と接続可能な少なくとも２つの半二重通信用端子と、を含むことを特徴とする構成を有していてもよい。
【００１３】
また、本発明の請求項３の無線端末測定装置は、前記切替部は、前記全二重通信用端子のいずれかを前記信号生成部及び前記信号解析部に接続するための第１のスイッチ群と、前記半二重通信用端子のいずれか１つを前記信号生成部または前記信号解析部に接続するか、あるいは、前記半二重通信用端子のいずれか２つをそれぞれ前記信号生成部及び前記信号解析部に接続するための第２のスイッチ群と、前記信号生成部からの前記試験信号を前記全二重通信用端子に出力するとともに、前記端末機器から当該全二重通信用端子を介して入力された前記応答信号を前記信号解析部に出力する方向性結合器と、を有することを特徴とする構成を有していてもよい。
【００１４】
また、本発明の請求項４の無線端末測定方法は、複数の通信規格に対応し、全二重通信を行うアンテナ部、及び、半二重通信を行うアンテナ部を有する端末機器を接続可能な複数の端子を有する接続部と、信号生成部と、信号解析部と、切替部と、を備えた無線端末測定装置を用いる無線端末測定方法であって、前記複数のアンテナ部を前記接続部の前記各端子に接続する接続段階と、前記切替部によって、前記接続部を介して、前記端末機器の前記全二重通信を行うアンテナ部のうちの１つを、前記信号生成部及び前記信号解析部に選択的に接続する切替段階と、前記信号生成部によって、前記複数の通信規格に対応した試験信号を生成し、該試験信号を前記信号生成部及び前記信号解析部に接続された前記アンテナ部に出力する信号生成段階と、前記信号解析部によって、前記試験信号が入力された前記アンテナ部からの応答信号を解析する信号解析段階と、を含むことを特徴とする構成を有している。
【００１５】
この構成により、端末機器の複数のアンテナ部を信号生成部及び信号解析部に選択的に接続する切替段階を有するため、複数の通信規格に対応した複数のアンテナ部を有する端末機器に対して、外部スイッチボックスを用いることなく、その全てのアンテナ部を接続可能であるとともに、測定対象のアンテナ部を切り替えることができる。
【００１６】
また、本発明の請求項５の無線端末測定方法は、複数の通信規格に対応し、全二重通信を行うアンテナ部、及び、半二重通信を行うアンテナ部を有する端末機器を接続可能な複数の端子を有する接続部と、信号生成部と、信号解析部と、切替部と、を備えた無線端末測定装置を用いる無線端末測定方法であって、前記複数のアンテナ部を前記接続部の前記各端子に接続する接続段階と、前記切替部によって、前記接続部を介して、前記端末機器の前記半二重通信を行うアンテナ部のうちの１つを、前記信号生成部に選択的に接続する第１の切替段階と、前記信号生成部によって、前記複数の通信規格に対応した試験信号を生成し、該試験信号を前記信号生成部に接続された前記アンテナ部に出力する信号生成段階と、前記切替部によって、前記接続部を介して、前記信号生成部に接続されたアンテナ部を、前記信号解析部に選択的に接続する第２の切替段階と、前記信号解析部によって、前記試験信号が入力された前記アンテナ部からの応答信号を解析する信号解析段階と、を含むことを特徴とする構成を有していてもよい。
【００１７】
また、本発明の請求項６の無線端末測定方法は、複数の通信規格に対応し、全二重通信を行うアンテナ部、及び、半二重通信を行うアンテナ部を有する端末機器を接続可能な複数の端子を有する接続部と、信号生成部と、信号解析部と、切替部と、を備えた無線端末測定装置を用いる無線端末測定方法であって、前記複数のアンテナ部を前記接続部の前記各端子に接続する接続段階と、前記切替部によって、前記接続部を介して、前記端末機器の前記半二重通信を行うアンテナ部のうちの１つを、前記信号生成部に選択的に接続する第３の切替段階と、前記切替部によって、前記接続部を介して、前記複数のアンテナ部のうち、前記信号生成部に接続されたアンテナ部と異なるアンテナ部を、前記信号解析部に選択的に接続する第４の切替段階と、前記信号生成部によって、前記複数の通信規格に対応した試験信号を生成し、該試験信号を前記信号生成部に接続された前記アンテナ部に出力する信号生成段階と、前記信号解析部によって、前記信号解析部に接続された前記アンテナ部からの送信信号を解析する信号解析段階と、を含むことを特徴とする構成を有していてもよい。
【発明の効果】
【００１８】
本発明は、複数の通信規格に対応した複数のアンテナ部を有する端末機器に対して、外部スイッチボックスを用いることなく、その全てのアンテナ部を接続可能であるとともに、測定対象のアンテナ部を切り替え可能な無線端末測定装置および無線端末測定方法を提供するものである。
【図面の簡単な説明】
【００１９】
【図１】本発明に係る無線端末測定装置の構成の一例を示すブロック図
【図２】本発明に係る無線端末測定装置の正面図
【図３】切替部、接続部の端子、及び端末機器のアンテナ部の対応関係を示す概念図
【図４】本発明に係る無線端末測定装置の制御部が実行する無線端末測定プログラムのフローチャート
【図５】本発明に係る無線端末測定装置の制御部が実行する第１の無線端末測定ルーチンのフローチャート
【図６】本発明に係る無線端末測定装置の制御部が実行する第２の無線端末測定ルーチンのフローチャート
【発明を実施するための形態】
【００２０】
以下、本発明に係る無線端末測定装置および無線端末測定方法の実施形態について図面を用いて説明する。本実施形態の無線端末測定装置は、複数の通信規格に対応し、全二重通信を行うアンテナ部、及び、半二重通信（または単方向通信）を行うアンテナ部を有する端末機器に対して、送信電波の出力や受信感度などに関する測定を行うものである。
【００２１】
図１は、本実施形態の無線端末測定装置１の構成の一例を示すブロック図である。無線端末測定装置１は、測定対象の端末機器１０の複数のアンテナ部１０−１〜１０−Ｎを接続可能な複数の端子１１−１〜１１−Ｍ（Ｍ≧Ｎ）を有する接続部１１と、複数の通信規格に対応した試験信号を生成し、該試験信号を接続部１１に接続された端末機器１０に出力する信号生成部１２と、試験信号が入力された端末機器１０からの応答信号、または、端末機器１０からの送信信号（以下、端末送信信号と記す）を解析する信号解析部１３と、接続部１１を介して、端末機器１０の全二重通信を行うアンテナ部のうちの１つを信号生成部１２及び信号解析部１３に選択的に接続するか、あるいは、半二重通信を行うアンテナ部のうちのいずれか１つまたは２つを信号生成部１２及び信号解析部１３の少なくとも一方に選択的に接続する切替部１４と、を備える。
【００２２】
また、無線端末測定装置１は、信号生成部１２、信号解析部１３、及び切替部１４の動作を制御する制御部１５を備える。なお、制御部１５は、パーソナルコンピュータなどの外部装置が不図示のインタフェースを介して接続されるものであってもよい。また、この外部装置に、操作者が各種指示を操作入力する操作部１６や、信号解析部１３の解析結果を表示する表示部１７が接続されていてもよい。
【００２３】
また、無線端末測定装置１は、信号生成部１２からの試験信号に対する端末機器１０の受信機能を測定する受信信号解析部（不図示）を備えていてもよい。さらに、無線端末測定装置１は、測定値が所定の基準を満たしているか否かを判定する判定部（不図示）を備えていてもよい。この判定は、例えば、予め定められた閾値と測定値との大小関係を評価することにより行われる。
【００２４】
測定対象の端末機器１０の各アンテナ部１０−１〜１０−Ｎは、無線通信アンテナとＲＦ回路を有している。アンテナ部１０−１〜１０−Ｎのうち、少なくとも１つは全二重通信を行い、少なくとも２つは半二重通信または単方向通信を行うものとする。
【００２５】
ここで、端末機器１０の複数の通信規格としては、セルラ（ＬＴＥ、Ｗ−ＣＤＭＡ、ＧＳＭ（登録商標）、ＣＤＭＡ２０００、１ｘＥＶ−ＤＯ、ＴＤ−ＳＣＤＭＡ等）、ＷＬＡＮ（ＩＥＥＥ８０２．１１ａ／ｂ／ｇ／ｎ等）、Ｂｌｕｅｔｏｏｔｈ（登録商標）、ＧＮＳＳ（ＧＰＳ、Ｇａｌｉｌｅｏ、ＧＬＯＮＡＳＳ、Ｃｏｍｐａｓｓ等）、ＦＭラジオ放送、及びテレビ放送（ＤＶＢ−Ｈ、ＤＭＢ、ワンセグ等）が挙げられる。
【００２６】
また、測定対象の端末機器１０は、セルラに関しては全二重通信、ＷＬＡＮ及びＢｌｕｅｔｏｏｔｈ（登録商標）に関しては全二重通信または半二重通信、ＦＭ放送及びテレビ放送に関しては半二重通信または単方向通信、ＧＮＳＳに関しては単方向通信を行うようになっている。
【００２７】
制御部１５は、端末機器１０の通信規格に対応した、信号生成部１２、信号解析部１３、及び切替部１４に対する制御を行うためのプログラムを予めメモリ１５ａに記憶している。なお、制御部１５は、新たなプログラム、あるいはバージョンを変更したプログラムを外部から受けて、メモリ１５ａへの追加または更新を行うこともできる。さらに、メモリ１５ａには、無線端末測定装置１内部の配線の損失の補正値が予め記憶されているものとする。
【００２８】
信号生成部１２は、ベースバンド信号生成部１２ａ、及び、ＲＦ変調部１２ｂを有する。ベースバンド信号生成部１２ａは、所定のクロックを基に、Ｉ成分ベースバンド信号と、該Ｉ成分ベースバンド信号と位相がπ／２ずれた直交成分信号であるＱ成分ベースバンド信号を生成する。これらのベースバンド信号には、端末機器１０に対して無線端末測定装置１が擬似基地局として働くために必要な制御情報が含まれている。制御情報は、例えば、端末機器１０と擬似基地局でやり取りする位置登録、着呼、切断、その他の試験に必要な指示を含む。
【００２９】
ＲＦ変調部１２ｂは、ベースバンド信号生成部１２ａから受けたベースバンド信号を、各通信規格の周波数に対応したローカル信号と混合することで、各通信規格の周波数に対応した試験信号を生成し、生成した試験信号を端末機器１０に向けて出力する。
信号解析部１３は、ＲＦ変調部１２ｂからのローカル信号を受けて、端末機器１０からの応答信号または端末送信信号を直交復調してＩ成分ベースバンド信号及びＱ成分ベースバンド信号に変換した後、それらのベースバンド信号を復号して、測定のための解析を行うようになっている。例えば、信号解析部１３は、変調精度測定、隣接チャネル漏洩電力測定、及び電力測定などが行えるものであるとよい。
【００３０】
即ち、信号解析部１３は、上記試験信号に対する端末機器１０からの応答信号、または、端末機器１０からの単方向通信の端末送信信号を受信し、この応答信号または端末送信信号を用いて端末機器１０の通信機能に関する上述の測定を行う。なお、信号解析部１３は、予めメモリ１５ａに記憶された無線端末測定装置１内部の配線の損失の補正値を用いて解析結果を補正するようになっている。
【００３１】
接続部１１は、端末機器１０の各アンテナ部１０−１〜１０−Ｎと、本実施形態の無線端末測定装置１と、を電気的に接続するためのものである。具体的には、接続部１１は、端末機器１０のアンテナ部１０−１〜１０−Ｎの個数Ｎと同数以上のＭ個の端子１１−１〜１１−Ｍを含む。
【００３２】
より具体的には、端子１１−１〜１１−Ｍは、全二重通信を行うアンテナ部と接続可能な少なくとも１つの全二重通信用端子と、半二重通信または単方向通信を行うアンテナ部と接続可能な少なくとも２つの半二重通信用端子を含む。
【００３３】
切替部１４は、アンテナ部１０−１〜１０−Ｎを、信号生成部１２及び信号解析部１３に電気的に接続する複数の接続状態（送受信状態、送信状態、あるいは受信状態）を取り得る。
【００３４】
より具体的には、切替部１４は、全二重通信用端子のいずれかを信号生成部１２及び信号解析部１３に接続するための第１のスイッチ群と、半二重通信用端子のいずれか１つを信号生成部１２または信号解析部１３に接続するか、あるいは、半二重通信用端子のいずれか２つをそれぞれ信号生成部１２及び信号解析部１３に接続するための第２のスイッチ群と、信号生成部１２からの試験信号を全二重通信用端子に出力するとともに、端末機器１０から当該全二重通信用端子を介して入力された応答信号を信号解析部１３に出力する方向性結合器と、を有する。
【００３５】
図２は、本実施形態の無線端末測定装置１の正面図である。また、図３は、切替部１４、接続部１１の端子、及び端末機器１０のアンテナ部の対応関係を示す概念図である。図２及び３に示した例では、端末機器１０は４つのアンテナ部１０−１〜１０−４を有し、アンテナ部１０−１、１０−２が全二重通信を行い、アンテナ部１０−３、１０−４が半二重通信または単方向通信を行うものとしている。
【００３６】
これに対応して、接続部１１の複数の端子は、全二重通信を行うアンテナ部１０−１、１０−２と接続可能な全二重通信用端子１１−１、１１−２と、半二重通信または単方向通信を行うアンテナ部１０−３、１０−４と接続可能な半二重通信用端子１１−３、１１−４と、に分類される。
【００３７】
図３に示すように、切替部１４は、第１のスイッチ群としてのスイッチ１４ａ−１、１４ａ−２、１４ｂ−１、１４ｂ−２と、第２のスイッチ群としてのスイッチ１４ａ−１、１４ａ−２、１４ｂ−３〜１４ｂ−６と、方向性結合器１４ｃ−１、１４ｃ−２と、を有する。ここで、スイッチ１４ａ−１、１４ａ−２は、第１及び第２のスイッチ群のいずれにも含まれている。
【００３８】
方向性結合器１４ｃ−１、１４ｃ−２は、信号生成部１２の試験信号の出力周波数を通過させる広帯域の結合器であり、例えばウィルキンソン型の分配器で構成される。方向性結合器１４ｃ−１、１４ｃ−２は、信号生成部１２からの試験信号をそれぞれ全二重通信用端子１１−１、１１−２に出力し、アンテナ部１０−１、１０−２からの応答信号を信号解析部１３に向けて出力するようになっている。
【００３９】
図３に示した例では、全二重通信を行うアンテナ部１０−１、１０−２に対する送受信状態は、第１のスイッチ群（スイッチ１４ａ−１、１４ａ−２、１４ｂ−１、１４ｂ−２）の切り替えにより実現される。
【００４０】
即ち、アンテナ部１０−１に対する送受信状態においては、信号生成部１２からの試験信号は、スイッチ１４ａ−１→スイッチ１４ｂ−１→方向性結合器１４ｃ−１を経由して、アンテナ部１０−１に到達する。また、アンテナ部１０−１からの応答信号は、方向性結合器１４ｃ−１→スイッチ１４ｂ−２→スイッチ１４ａ−２を経由して、信号解析部１３に到達する。
【００４１】
一方、アンテナ部１０−２に対する送受信状態においては、信号生成部１２からの試験信号は、スイッチ１４ａ−１→スイッチ１４ｂ−１→方向性結合器１４ｃ−２を経由して、アンテナ部１０−２に到達する。また、アンテナ部１０−２からの応答信号は、方向性結合器１４ｃ−２→スイッチ１４ｂ−２→スイッチ１４ａ−２を経由して、信号解析部１３に到達する。
【００４２】
また、半二重通信または単方向通信を行うアンテナ部１０−３に対する送信状態は、第２のスイッチ群のうち、スイッチ１４ａ−１、１４ｂ−３及び１４ｂ−５の切り替えにより実現される。一方、アンテナ部１０−３に対する受信状態は、第２のスイッチ群のうち、１４ａ−２、１４ｂ−４、１４ｂ−５の切り替えにより実現される。
【００４３】
即ち、アンテナ部１０−３に対する送信状態においては、信号生成部１２からの試験信号は、スイッチ１４ａ−１→スイッチ１４ｂ−３→スイッチ１４ｂ−５を経由して、アンテナ部１０−３に到達する。また、アンテナ部１０−３からの応答信号または端末送信信号は、スイッチ１４ｂ−５→スイッチ１４ｂ−４→スイッチ１４ａ−２を経由して、信号解析部１３に到達する。
【００４４】
また、半二重通信または単方向通信を行うアンテナ部１０−４に対する送信状態は、第２のスイッチ群のうち、スイッチ１４ａ−１、１４ｂ−３及び１４ｂ−６の切り替えにより実現される。一方、アンテナ部１０−４に対する受信状態は、第２のスイッチ群のうち、１４ａ−２、１４ｂ−４、１４ｂ−６の切り替えにより実現される。
【００４５】
即ち、アンテナ部１０−４に対する送信状態においては、信号生成部１２からの試験信号は、スイッチ１４ａ−１→スイッチ１４ｂ−３→スイッチ１４ｂ−６を経由して、アンテナ部１０−４に到達する。また、アンテナ部１０−４からの応答信号または端末送信信号は、スイッチ１４ｂ−６→スイッチ１４ｂ−４→スイッチ１４ａ−２を経由して、信号解析部１３に到達する。
【００４６】
次に、本発明に係る無線端末測定装置１を用いた無線端末測定方法について説明する。本発明に係る無線端末測定方法は、接続段階と、切替段階と、信号生成段階と、信号解析段階と、を含む。
【００４７】
接続段階においては、図２に示したように、操作者により、端末機器１０の複数のアンテナ部１０−１〜１０−Ｎ（図２の例においてはＮ＝４）からの端子と、無線端末測定装置１の接続部１１の各端子１１−１〜１１−Ｍ（図２の例においてはＭ＝４）と、が同軸ケーブル等のケーブルを介して接続される。
【００４８】
以下、切替段階、信号生成段階、及び信号解析段階の処理について、図４〜６を参照しながら説明する。操作者は、操作部１６から測定対象のアンテナ部１０−ｎ（ｎ＝１，・・・，Ｎ）を同時に１つまたは２つ選択できるようになっている。操作者が選択したアンテナ部１０−ｎが全二重通信を行うものである場合には、制御部１５によって図５に示す処理が行われる。また、操作者が選択したアンテナ部１０−ｎが半二重通信または単方向通信を行うものである場合には、制御部１５によって図６に示す処理が行われる。
【００４９】
図４は、無線端末測定装置１の制御部１５が実行する無線端末測定プログラムのフローチャートである。
【００５０】
まず、制御部１５は、操作部１６から１つまたは２つのアンテナ部１０−ｎ（ｎ＝１，・・・，Ｎ）に対する測定を指示する指示信号が送信されたことを確認する（ステップＳ４０）。なお以降では、試験信号を受信するアンテナ部の符号を１０−ｎ、応答信号または端末送信信号を送信するアンテナ部の符号を１０−ｍと記す。
【００５１】
操作部１６から指示信号が送信された場合には、制御部１５は、測定対象のアンテナ部１０−ｎが全二重通信を行うものであるか否かを判定する（ステップＳ４１）。測定対象のアンテナ部１０−ｎが全二重通信を行うものである場合には、制御部１５は、後述する第１の無線端末測定ルーチンでアンテナ部１０−ｎの測定を行う（ステップＳ４２）。一方、測定対象のアンテナ部１０−ｎが全二重通信を行うものでない場合には、後述する第２の無線端末測定ルーチンでアンテナ部１０−ｎの測定を行う（ステップＳ４３）。
【００５２】
図５は、無線端末測定装置１の制御部１５が実行する第１の無線端末測定ルーチンのフローチャートである。
【００５３】
まず、制御部１５は、切替部１４に指示信号を送出して、切替部１４の各スイッチを全二重通信を行うアンテナ部１０−ｎに対する送受信状態に切り替える（ステップＳ５０）。即ち、アンテナ部１０−ｎは、信号生成部１２及び信号解析部１３に選択的に接続される。
【００５４】
次に、制御部１５は、信号生成部１２に指示信号を送出して、アンテナ部１０−ｎの通信規格に対応した試験信号をアンテナ部１０−ｎに出力する（ステップＳ５１）。
【００５５】
そして、制御部１５は、信号解析部１３に指示信号を送出して、上記試験信号に対するアンテナ部１０−ｎからの応答信号を解析し、その解析結果をメモリ１５ａに記憶する（ステップＳ５２）。
【００５６】
なお、制御部１５は、ステップＳ５２において、予めメモリ１５ａに記憶されている上記送受信状態に関する内部配線の損失の補正値を信号解析部１３に通知しているものとする。これにより、従来の外部スイッチボックスを用いた測定系で、操作者が手動で内部配線の損失の補正値を入力するという作業を省くことができる。
【００５７】
図６は、無線端末測定装置１の制御部１５が実行する第２の無線端末測定ルーチンのフローチャートである。
【００５８】
まず、制御部１５は、切替部１４に指示信号を送出して、切替部１４の各スイッチを半二重通信または単方向通信を行うアンテナ部１０−ｎに対する送信状態に切り替える（ステップＳ６０）。即ち、アンテナ部１０−ｎは、信号生成部１２に選択的に接続される。
【００５９】
次に、制御部１５は、応答信号または端末送信信号を送信するアンテナ部１０−ｍについて、ｎ＝ｍであるか否かを判定する（ステップＳ６１）。ｎ＝ｍの場合には、制御部１５は、信号生成部１２に指示信号を送出して、半二重通信または単方向通信を行うアンテナ部１０−ｎの通信規格に対応した試験信号をアンテナ部１０−ｎに出力する（ステップＳ６２）。
【００６０】
次に、制御部１５は、切替部１４に指示信号を送出して、切替部１４の各スイッチをアンテナ部１０−ｎに対する受信状態に切り替える（ステップＳ６３）。即ち、アンテナ部１０−ｎは、信号解析部１３に選択的に接続される。
【００６１】
これらのステップＳ６０〜Ｓ６３の処理により、無線端末測定装置１は、信号生成部１２から半二重通信または単方向通信の信号（例えば、ＦＭ放送の信号）をアンテナ部１０−ｎに出力するとともに、アンテナ部１０−ｎから端末送信信号として半二重通信または単方向通信の信号（例えば、ＦＭ放送の信号）を受信することができる。
【００６２】
そして、制御部１５は、信号解析部１３に指示信号を送出して、上記試験信号に対するアンテナ部１０−ｎからの応答信号を解析し、その解析結果をメモリ１５ａに記憶する（ステップＳ６４）。なお、制御部１５は、ステップＳ６４において、予めメモリ１５ａに記憶されている上記送信状態及び受信状態に関する内部配線の損失の補正値を信号解析部１３に通知しているものとする。
【００６３】
一方、ステップＳ６１において、ｎ≠ｍであった場合には、制御部１５は、切替部１４に指示信号を送出して、切替部１４の各スイッチを半二重通信または単方向通信を行うアンテナ部１０−ｍに対する受信状態に切り替える（ステップＳ６５）。即ち、アンテナ部１０−ｎは、信号解析部１３に選択的に接続される。
【００６４】
これらのステップＳ６０、Ｓ６１、Ｓ６５及びＳ６６の処理により、無線端末測定装置１は、信号生成部１２から半二重通信または単方向通信の信号（例えば、ＧＮＳＳの信号）をアンテナ部１０−ｎに出力するとともに、アンテナ部１０−ｍから端末送信信号として半二重通信または単方向通信の信号（例えば、ＦＭ放送の信号）を受信することができる。
【００６５】
次に、制御部１５は、信号生成部１２に指示信号を送出して、アンテナ部１０−ｎの通信規格に対応した試験信号をアンテナ部１０−ｎに出力する（ステップＳ６６）。
【００６６】
そして、制御部１５は、信号解析部１３に指示信号を送出して、上記試験信号に対するアンテナ部１０−ｍからの端末送信信号を解析し、その解析結果をメモリ１５ａに記憶する（ステップＳ６７）。なお、制御部１５は、ステップＳ６７において、予めメモリ１５ａに記憶されている上記送信状態及び受信状態に関する内部配線の損失の補正値を信号解析部１３に通知しているものとする。
【００６７】
即ち、上記の処理により、アンテナ部１０−ｎの受信機能の測定と、アンテナ部１０−ｍ（≠ｎ）の送信機能の測定を並行して行うことが可能となり、検査時間を短縮することができる。
【００６８】
なお、制御部１５は、メモリ１５ａに記憶させた解析結果を、操作部１６からの指示に従って外部装置に出力することも可能である。
【００６９】
また、図４〜６に示した処理は、操作者が操作部１６を介して測定対象のアンテナ部を選択することにより、各アンテナ部の測定が開始されるものとしたが、操作者が操作部１６を介して測定開始の指示を出した後、測定対象のアンテナ部が順次自動的に切り替わるようなものであってもよい。
【００７０】
以上説明したように、本発明に係る無線端末測定装置および無線端末測定方法は、端末機器の複数のアンテナ部を信号生成部及び信号解析部に選択的に接続する切替部（切り替え段階）を有するため、複数の通信規格に対応した複数のアンテナ部を有する端末機器に対して、外部スイッチボックスを用いることなく、その全てのアンテナ部を接続可能であるとともに、測定対象のアンテナ部を切り替えることができる。
【産業上の利用可能性】
【００７１】
本発明に係る無線端末測定装置は、複数の通信規格に対応した複数のアンテナを有する携帯電話やスマートフォン等の試験装置として有用である。
【符号の説明】
【００７２】
１  無線端末測定装置
１０  端末機器
１０−１〜１０−Ｎ  アンテナ部
１１  接続部
１１−１〜１１−Ｍ  端子
１１−１、１１−２  全二重通信用端子
１１−３、１１−４  半二重通信用端子
１２  信号生成部
１２ａ  ベースバンド信号生成部
１２ｂ  ＲＦ変調部
１３  信号解析部
１４  切替部
１４ａ−１、１４ａ−２、１４ｂ−１〜１４ｂ−６  スイッチ
１４ｃ−１、１４ｃ−２  方向性結合器
１５  制御部
１５ａ  メモリ
１６  操作部
１７  表示部
【図１】
0005492918.tif 000002
【図２】
0005492918.tif 000003
【図３】
0005492918.tif 000004
【図４】
0005492918.tif 000005
【図５】
0005492918.tif 000006
【図６】
0005492918.tif 000007